(57)【要約】【課題】加湿機本体からの貯水トレイの出し入れを容易にし、且つ、加湿量の制御を適切に行える加湿機を提供すること。【解決手段】本発明の加湿機（１０１）は、貯水トレイ（２）の引き出し方向前方の板（２ａ）の高さが、上記引き出し方向後方の板（２ｂ）の高さよりも高く、且つ、上記貯水トレイ（２）の上面が、上記貯水トレイ（２）の引き出し方向前方から引き出し方向後方への傾斜と同じ向きに傾斜されている。【選択図】図１
2019143832.tif 000002
【特許請求の範囲】
【請求項１】
貯水トレイと、
上記貯水トレイを収納部に収納した状態で、当該貯水トレイの水を用いて空気を加湿する加湿部と、を備えた加湿機であって、
上記貯水トレイは、
上記貯水トレイの上面が上記収納部の天面に近接した状態で当該収納部に引き出し可能に収納され、
上記貯水トレイの引き出し方向前方の高さが、上記貯水トレイの引き出し方向後方の高さよりも高く、且つ、上記貯水トレイの上面が、上記貯水トレイの引き出し方向前方から引き出し方向後方へ傾斜されていることを特徴とする加湿機。
【請求項２】
上記加湿部は、
上記貯水トレイに、一部が水に浸漬されるように配置される加湿フィルタと、
上記加湿フィルタに風を吹き付けることで、当該加湿フィルタに含まれた水を気化させる送風部と、を備え、
上記貯水トレイは、
上記加湿フィルタの上面が、上記収納部の天面に近接した状態で当該収納部に引き出し可能に収納され、
上記加湿フィルタの上面が、上記貯水トレイの引き出し方向前方から引き出し方向後方への傾斜と同じ向きに傾斜されていることを特徴とする請求項１に記載の加湿機。
【請求項３】
上記加湿フィルタが上記貯水トレイに載置された状態で、当該加湿フィルタの一部が当該貯水トレイの上面から突出していることを特徴とする請求項２に記載の加湿機。
【請求項４】
上記貯水トレイに外部から水を供給する給水口と、
上記加湿部によって加湿された空気を外部に放出する吹出口と、を備え、
上記給水口から上記貯水トレイまで水を導く給水路が、加湿機本体の一側面に設けられ、上記貯水トレイから上記吹出口まで加湿された空気を導く吹出路が、加湿機本体の他側面に設けられていることを特徴とする請求項１〜３の何れか１項に記載の加湿機。
【発明の詳細な説明】
【技術分野】
【０００１】
本発明は、加湿機に関し、特に貯水トレイに加湿フィルタを直接設置した加湿機に関する。
【背景技術】
【０００２】
近年、健康指向の高まりにより、室内の空気に適正な湿度を与えるための加湿機が広く用いられている。特に、水の加熱蒸発を伴わずに加湿を可能とする気化式の加湿機は、室内温度を変えずに湿度調節をなし得ることから、その普及が拡大している。
【０００３】
気化式の加湿機は、吸気口と送気口とを結ぶ送風路の内部に水を含侵させた加湿フィルタと送風ファンとを配してなり、送風ファンの動作により吸気口を経て送風路内に導入される空気を加湿フィルタに通し、該加湿フィルタの下流側に送り出される気化水分を含む湿り空気を、送気口を経て室内に送り出すように構成されている。
【０００４】
加湿フィルタは、高い含水性を有すると共に通気が可能な材料（不織布等）のシートであり、吸気口の内側に送風路内への導入空気との接触が可能となるように配してある。加湿フィルタは、定量の水を貯留する水受け皿に下部を浸漬させてあり、気化により失われた水分を水受け皿からの吸い上げにより補充するようになしてある。水受け皿の一側には貯水トレイが設けてあり、水受け皿の内部には、加湿フィルタの吸い上げによる水面の低下に応じて貯水トレイ内の水が逐次補給され、常時定量の水が貯留されるように構成されている（例えば、特許文献１参照）。
【先行技術文献】
【特許文献】
【０００５】
【特許文献１】特許第４４８６４４４号公報
【発明の概要】
【発明が解決しようとする課題】
【０００６】
ところで、加湿機本体に加湿フィルタを設置された貯水トレイを収納した場合、加湿フィルタは上面において加湿機本体内のキャビネット（収納部）にきっちりと接触するように設計されている。また、一般に、加湿フィルタの上面と上記キャビネットとは水平に接触されている。このため、加湿フィルタを設置した状態の貯水トレイの出し入れ時には、加湿フィルタの上面とキャビネットとの接触面が大きくなるので、摩擦力が大きくなり、貯水トレイの出し入れがし難くなるという問題が生じる。
【０００７】
そこで、加湿フィルタの上面と上記キャビネットとの摩擦力を低減するために、加湿フィルタの上面と上記キャビネットとの間に生じる隙間を大きくすることが考えられる。しかしながら、上記隙間を大きくすると、貯水トレイの出し入れがしやすくなるものの、加湿フィルタを通過すべき空気が、加湿フィルタの上面とキャビネットとの間に生じる隙間から漏れてしまい、加湿されない空気が排出されることになる。つまり、加湿機における加湿量が設定された値よりも少なくなるおそれがある。
【０００８】
本発明の一態様は、加湿機本体からの貯水トレイの出し入れを容易にし、且つ、加湿量の制御を適切に行なうことができる加湿機を提供することを目的とする。
【課題を解決するための手段】
【０００９】
上記の課題を解決するために、本発明の一態様に係る加湿機は、貯水トレイと、上記貯水トレイを収納部に収納した状態で、当該貯水トレイの水を用いて空気を加湿する加湿部と、を備えた加湿機であって、上記貯水トレイは、上記貯水トレイの上面が上記収納部の天面に近接した状態で当該収納部に引き出し可能に収納され、上記貯水トレイの引き出し方向前方の高さが、上記引き出し方向後方の高さよりも高く、且つ、上記貯水トレイの上面が、上記貯水トレイの引き出し方向前方から引き出し方向後方へ傾斜して形成されていることを特徴としている。
【発明の効果】
【００１０】
本発明の一態様によれば、加湿機本体からの貯水トレイの出し入れを容易にし、且つ、加湿量の制御を適切に行なうことができる。
【図面の簡単な説明】
【００１１】
【図１】本発明の実施形態１に係る加湿機の外観を示す斜視図であり、（ａ）は前面蓋を装着した状態を示す斜視図であり、（ｂ）は前面蓋を取り外した状態を示す斜視図である。
【図２】（ａ）は、図１の（ａ）のＡＡ線矢視断面図であり、（ｂ）は、図１の（ａ）のＢＢ線矢視断面図である。
【図３】（ａ）（ｂ）は、図１に示す加湿機が備える水位センサの取り付け位置を説明するための図である。
【図４】図１に示す加湿機における制御ブロック図である。
【図５】図１に示す加湿機における貯水トレイの構造を説明するための図である。
【図６】図６に示す貯水トレイの構造の他の例を示す図である。
【図７】図６に示す貯水トレイの構造の他の例を示す図である。
【図８】本発明の実施形態１の変形例の概略構成断面図である。
【図９】本発明の実施形態２に係る加湿機の概略断面図である。
【図１０】本発明の実施形態３に係る加湿機の概略断面図である。
【図１１】図１０に示す加湿機の要部構成を示す概略斜視図である。
【図１２】図１０に示す加湿機のシャワー構造を示す概略構成斜視図である。
【発明を実施するための形態】
【００１２】
〔実施形態１〕
以下、本発明の一実施形態について、詳細に説明する。本実施形態では、本発明を、気化式の加湿機に適用した例について説明する。なお、本発明を適用する加湿機は、気化式の加湿機以外の他の形式の加湿機、例えば、スチーム（加熱）式、超音波式の加湿機であってもよい。
【００１３】
（加湿機の概要）
図１は、本実施形態に係る加湿機１０１の外観を示し斜視図であり、（ａ）は裏蓋１を装着した状態を示す斜視図、（ｂ）は裏蓋１を取り外した状態を示す斜視図である。
【００１４】
図２の（ａ）は、図１の（ａ）のＡＡ線矢視断面図であり、（ｂ）は、図１の（ａ）のＢＢ線矢視断面図である。
【００１５】
加湿機１０１は、図１に示すように、上面に排気口（吹出口）１１と給水口１２が設けられている。排気口１１は、加湿機１０１内部で加湿された空気を排出（放出）するための開口である。給水口１２は、加湿機１０１の下方の貯水トレイ２に水を供給するための開口である。
【００１６】
排気口１１は、加湿機１０１の前面側（操作パネル等が設けられている側、すなわち貯水トレイ２から上記排気口１１まで加湿された空気を導く吹出路２０の形成面（本体の他側面）側）に設けられ、当該加湿機１０１の前面側に加湿された空気を排出するように設計されている。一方、給水口１２は、排気口１１とは反対側の加湿機１０１の裏面側（貯水トレイ２への給水路（溝１３，第１給水路１４，第２給水路１５）の形成面（本体の一側面）側）に設けられ、当該加湿機１０１の上部から下部に設けられた貯水トレイ２に水を供給するように設計されている。つまり、給水口１２は、排気口１１から排出される空気の影響を受けない位置に形成されている。ここで、排気口１１から排出される空気の影響を受けない位置とは、当該排気口１１から排出される空気によって、注水中の水が飛び散らない位置をいう。
【００１７】
図１の（ａ）に示すように、加湿機１０１の裏面には、着脱自在な裏蓋１が設けられている。裏蓋１を取り外すと、図１の（ｂ）に示すように、給水口１２と貯水トレイ２とを繋げるように形成された溝１３が露出する。給水口１２から注がれた水は、溝１３を伝って貯水トレイ２に注がれる。溝１３の露出した面は、裏蓋１を加湿機１０１に装着することで塞がる。これにより、図２の（ａ）に示すように、給水口１２から貯水トレイ２までの第１給水路１４が形成される。この第１給水路１４は、後述する貯水トレイ２に形成された第２給水路１５に連通する。
【００１８】
貯水トレイ２は、加湿機１０１の裏側から着脱自在に設けられている。具体的には、貯水トレイ２は、図１の（ａ）に示すように、加湿機１０１に装着した状態から矢印方向に移動させることで、当該加湿機１０１から取り外す構造となっている。
【００１９】
貯水トレイ２には、加湿機１０１に装着した状態で、第１給水路１４に連通する第２給水路１５が形成されている。従って、第２給水路１５に第１給水路１４から水が供給されることで、貯水トレイ２内に水が満たされることになる。
【００２０】
また、貯水トレイ２内には、加湿フィルタ１６が設置されている。加湿フィルタ１６は、高い含水性を有すると共に通気が可能な材料（不織布等）のシートであり、加湿機１０１内の送風路１７から貯水トレイ２内に送り込まれた空気と接触するように配置されている。具体的には、加湿フィルタ１６は、図２の（ａ）に示すように、定量の水を貯留する貯水トレイ２内で下部が浸漬した状態で設置されている。つまり、加湿フィルタ１６は、水に浸漬されていない上部（吸水部分）に空気が接触しながら通過できるように貯水トレイ２内に設置されている。従って、加湿フィルタ１６に接触した空気によって当該加湿フィルタ１６に含まれる水が気化され、加湿された空気として排気口１１から外部に排出される。
【００２１】
ここで、加湿フィルタ１６の貯水トレイ２の底面からの高さは、例えば、貯水トレイ２の底面から上面までの高さに等しいことが好ましい。これにより、加湿フィルタ１６を通過しない空気を極力少なくすることで、湿度を適切にコントロールした空気を排気口１１から排出することができる。従って、貯水トレイ２の底面からの高さをＨとした場合、加湿フィルタ１６の高さもＨであることが好ましい。
【００２２】
加湿機１０１には、図２の（ａ）（ｂ）に示すように、送風路１７に空気を送り込むための送風ファン１８と、送風ファン１８を駆動するモータ１９とが設けられている。
【００２３】
送風ファン１８は、モータ１９によって駆動されると、加湿機１０１の吸気口（図示せず）から外気を送風路１７内に導入して、当該送風路１７から貯水トレイ２に向けて空気を送り出すようになっている。送風ファン１８は、図２の（ａ）では、シロッコファンを例示しているが、軸流ファンであってもよい。
【００２４】
送風路１７からの空気は、貯水トレイ２内の加湿フィルタ１６の手前の空間である第１の領域２１に送り込まれる。その後、当該加湿フィルタ１６に接触しながら通過して、当該貯水トレイ２の加湿フィルタ１６を介して第１の領域２１と反対側の空間である第２の領域２２を経て、吹出路２０を通り排気口１１から外部に送り出される。従って、加湿フィルタ１６，送風路１７および送風ファン１８によって、貯水トレイ２の水を用いて空気を加湿する加湿部が構成されている。また、送風路１７と送風ファン１８によって、加湿フィルタ１６に含まれた水を気化させる送風部が構成されている。
【００２５】
（給水路）
次に、貯水トレイ２への給水路について説明する。
【００２６】
給水路は、上述したように、図２の（ａ）に示す給水口１２から第１給水路１４を経て、第２給水路１５までの経路である。第１給水路１４は、送風路１７の外側面に沿って形成され、且つ、図１の（ｂ）に示すように、裏蓋１と、当該裏蓋１を取り外した状態で露出する溝１３とによって構成されている。裏蓋１の裏面（溝１３に対向する面）と溝１３の表面は、ロータス効果奏する微細な凹凸（シボ加工）が施されている。これにより、汚れが付着し難くなる。
【００２７】
また、裏蓋１を取り外せば、溝１３が露出された状態となるため、第１給水路１４の清掃等の手入れが容易になる。
【００２８】
第２給水路１５は、図２の（ａ）に示すように、貯水トレイ２の端部に形成されており、第１給水路１４と連通する部分の第１開口部１５ａから水を取り入れ、当該貯水トレイ２の下方に向けて形成された第２開口部１５ｂから水を排出するようになっている。これにより、貯水トレイ２には、底辺から水が供給されることになる。
【００２９】
なお、第２給水路１５の内面も、裏蓋１の裏面、溝１３の表面と同様に、ロータス効果奏する微細な凹凸（シボ加工）が施されている。これにより、汚れが付着し難くなる。
【００３０】
また、給水口１２の給水面についても、ロータス効果奏する微細な凹凸（シボ加工）が施されている。これにより、汚れが付着し難くなる。さらに、第１給水路１４の給水面は、第１給水路１４に向かって水が流れ込むような放射反射面形状となっていることが好ましい。これにより、給水口１２の給水面のどの部分に注水しても、水が飛散せず、且つ、外にこぼれずに、第１給水路１４に向かって水が適切に流れ込むようになる。
【００３１】
以上のように、給水口１２から注がれた水は、給水路を構成する、第１給水路１４、第２給水路１５を経て、貯水トレイ２に供給される。給水路から供給された水は、貯水トレイ２の第１の領域２１側に流れ込み、加湿フィルタ１６を経て第２の領域２２に流れ込む。つまり、送風路１７に近い側から遠い側に向かって水が供給されることになる。
【００３２】
通常、貯水トレイ２への給水のタイミングは、当該貯水トレイ２の貯水量が所定の量以下になったときできある。例えば、貯水トレイ２の貯水量が所定の量以下になれば、使用者に報知（音声によるお知らせ、ＬＥＤの点灯など）して、給水を促すようにしている。
【００３３】
本実施形態では、貯水トレイ２の貯水量を検出するために、水位センサを用いる。
【００３４】
（水位センサ）
図３の（ａ）は、図１の（ａ）のＢＢ線矢視断面図を示し、図３の（ｂ）は、図３の（ａ）に示す領域Ｘの拡大図を示す。
【００３５】
図３の（ｂ）に示すように、水位センサ３１は、貯水トレイ２の第２の領域２２の上部に設けられ、当該貯水トレイ２の水面３から当該水位センサ３１までの距離を測定することで、貯水トレイ２の貯水量を検出している。このように、水位センサ３１は、貯水トレイ２の水面３からの距離を測定するため、水面３はできるだけ穏やかなほうが好ましい。従って、貯水トレイ２では、第１の領域２１側に水が供給されるため、水面３が波立ち、測定誤差が生じるおそれがあるが、加湿フィルタ１６によって隔てられた第２の領域側では水面３が比較的穏やかである。このため、水位センサ３１は、図３の（ｂ）に示すように、第２の領域２２側の水面３を測定する位置に形成されていることが好ましい。
【００３６】
（加湿制御）
一般的な加湿制御は、湿度センサによって検出された湿度および温度センサによって検出された温度によって設定された湿度を保つように制御される。通常、貯水トレイ２の貯水量によって加湿フィルタ１６が露出している部分、すなわち風が当たる部分の大きさが変わっていることが考慮されない。この加湿フィルタ１６が露出している部分の面積が大きければ、風が当たる面積が大きくなるため、風量が少なくても気化した空気を多く発生させることができる。逆に、加湿フィルタ１６が露出している部分の面積が小さければ、風が当たる面積が小さくなるため、風量を多くしないと気化した空気を多く発生させることができない。
【００３７】
従って、湿度制御を行なう際に、加湿フィルタ１６が露出している部分の面積に関わらず、当該加湿フィルタ１６に当てる風の風量を一定にしていれば、貯水トレイ２の貯水量によって目的とする湿度にするのに要する時間が長くなる場合がある。
【００３８】
そこで、水位センサ３１によって貯水トレイ２の貯水量が測定できれば、貯水トレイ２に載置された加湿フィルタ１６がどの程度露出されているかを予測できる。これを利用して加湿量を調整することで、目的とする湿度にするのに要する時間を短くできる。
【００３９】
図４は、貯水トレイ２の貯水量を考慮した場合の加湿制御を行なうための制御ブロック図である。制御部３０は、水位センサ３１、温度センサ３２、湿度センサ３３からの検出値によって、送風ファン１８を駆動するモータ１９の回転数を制御するようになっている。
【００４０】
具体的には、制御部３０は、湿度センサ３３によって検出された湿度が設定された湿度よりも低くなれば、温度センサ３２によって検出された温度、水位センサ３１によって検出された水位に応じてモータ１９の駆動を制御する。モータ１９の駆動制御は、送風ファン１８の回転数を、湿度、温度、水位に対応付けられた回転数となるように制御することである。
【００４１】
（貯水トレイ２）
図５は、装置本体（加湿機本体）１０と貯水トレイ２との関係を説明するための図であり、（ａ）は貯水トレイ２の引き出し方向正面図であり、（ｂ）は（ａ）のＣＣ線矢視断面図であり、（ｃ）は貯水トレイ２の引き出し動作を説明するための図である。
【００４２】
貯水トレイ２は、加湿機１０１の装置本体１０から着脱自在に構成されている。貯水トレイ２は、図１の（ａ）（ｂ）に示す矢印方向（引き出し方向）に、装置本体１０から引き出せるように構成されている。
【００４３】
貯水トレイ２は、当該貯水トレイ２の上面が装置本体１０の収納部１０ａの天面に近接した状態で当該収納部１０ａに収納される。貯水トレイ２は、収納部１０ａに収納された状態では、当該貯水トレイ２の上面と収納部１０ａの天面との間に生じる隙間はできるだけ小さいほうがよい。さらに、貯水トレイ２が収納部１０ａに収納された状態のとき、当該貯水トレイ２に設置された加湿フィルタ１６の上面と収納部１０ａの天面との間に生じる隙間はできるだけ小さいほうがよい。加湿性能を考慮した場合、加湿フィルタ１６が設置された貯水トレイ２が収納部１０ａに収納された状態では、貯水トレイ２の上面および加湿フィルタ１６の上面が収納部１０ａの天面に接触しているのが好ましい。
【００４４】
このように、装置本体１０に加湿フィルタ１６を設置された貯水トレイ２を収納した場合、加湿フィルタ１６は上面において装置本体１０の収納部１０ａの天面にきっちり接触するようになっている。これにより、貯水トレイ２において加湿フィルタ１６に当たらない風を極力少なくでき、加湿された空気を効率よく排出することが可能となる。
【００４５】
ところで、加湿フィルタ１６の上面と収納部１０ａの天面とが水平に接触されている場合、加湿フィルタを設置した状態の貯水トレイ２の出し入れ時には接触面が大きくなるので、摩擦力が大きくなり、貯水トレイ２がし難くなるという問題が生じる。
【００４６】
そこで、本実施形態では、上記の問題を解決するために、図５の（ａ）（ｂ）に示すように、貯水トレイ２を構成する４辺の板のうち、当該貯水トレイ２の引き出し方向前方の辺を構成する板２ａの高さが、上記引き出し方向後方の辺を構成する板２ｂの高さよりも高く、且つ、当該貯水トレイ２の引き出し方向に並行な側面の２辺の板が、上記引き出し方向前方から後方に向かって低く傾斜するように形成されている。ここで、傾斜構造は、図５に示すような直線的な傾斜構造に限定されるものではなく、他の傾斜構造であってもよい。例えば前方から後方へのラインが丸みを帯びた形状の傾斜構造であってもよい。
【００４７】
また、上記加湿フィルタ１６の上面は、上記貯水トレイ２の側面の２辺の板の傾斜と同じ傾斜角で傾斜するように形成されている。すなわち、加湿フィルタ１６の上面は、貯水トレイ２の引き出し方向前方側が高く、後方側がなるように形成されている。
【００４８】
上記構成の貯水トレイ２は、装置本体１０の収納部１０ａ内に格納されている状態では、上述したように、当該貯水トレイ２の全ての辺の上面が当該収納部１０ａの天面に接触している。しかも、貯水トレイ２に載置された加湿フィルタ１６の上面も収納部１０ａの天面に接触している。従って、加湿フィルタ１６の上面と収納部１０ａの天面との間に生じる隙間がほとんど無い状態となっている。このため、貯水トレイ２に吹き込んだ風は、必ず加湿フィルタ１６に当たり、加湿された空気となり加湿機１０１の外に排出される。つまり、加湿量を適切に制御することができる。
【００４９】
また、上記構成の貯水トレイ２を装置本体１０から引き出す場合、図５の（ｃ）に示すように、収納部１０ａの天面までの高さが高い方向に貯水トレイ２が移動することになる。つまり、貯水トレイ２は、収納部１０ａ内において、引き出し方向後方の辺の板２ｂの高さよりも高い方向に移動することになる。これにより、貯水トレイ２は、収納部１０ａの天面に接触することなく引き出すことが可能となる。
【００５０】
また、上記構成の貯水トレイ２を装置本体１０に格納する場合、図５の（ｃ）に示すように、貯水トレイ２は、収納部１０ａの天面までの高さよりも低い側（板２ａ側）から格納される。これにより、格納時に当該貯水トレイ２は収納部１０ａの天面に接触することはなく、収納部１０ａの所定の位置に格納されて初めて、貯水トレイ２と収納部１０ａの天面とが接触する。
【００５１】
以上のことから、上記構成の貯水トレイ２によれば、加湿量を適切に制御できると共に、当該貯水トレイ２を装置本体１０からの引き出しおよび格納を容易にできるという効果を奏する。また、貯水トレイ２を装置本体１０に格納した状態で加湿機１０１を移動させる場合に、貯水トレイ２に蓄えられた水が外にこぼれ難くすることができる。
【００５２】
なお、貯水トレイ２の形状は、図５に示す形状に限定されるものではない。上記と同様の効果を奏する形状であればよい。例えば、図６に示す貯水トレイ２０２であってもよい。
【００５３】
＜変形例１＞
図６は、図５に示す装置本体１０と貯水トレイ２との関係の変形例を説明するための図であり、（ａ）は貯水トレイ２０２の引き出し方向正面図であり、（ｂ）は（ａ）のＤＤ線矢視断面図である。
【００５４】
貯水トレイ２０２は、前記貯水トレイ２と同様、図６の（ｂ）に示すように、当該貯水トレイ２０２の引き出し方向前方の辺の板２０２ａの高さが、上記引き出し方向後方の辺の板２０２ｂの高さよりも高く、且つ、当該貯水トレイ２の引き出し方向に並行な側面の２辺の板が、上記引き出し方向前方から後方に向かって低く傾斜するように形成されている。
【００５５】
また、貯水トレイ２０２に載置される加湿フィルタ１６の上面は、貯水トレイ２０２の引き出し方向前方側が高く、後方側がなるように形成されている。つまり、上記加湿フィルタ１６の上面は、上記貯水トレイ２の側面の２辺の板の傾斜と同じ傾斜角で傾斜するように形成されている。
【００５６】
さらに、貯水トレイ２０２は、図６の（ａ）に示すように、加湿フィルタ１６の一部が当該貯水トレイ２０２の上面から突出するように形成されている。つまり、貯水トレイ２０２を構成している４辺の板の高さが全て、加湿フィルタ１６よりも低くなるように形成されている。
【００５７】
上記構成の貯水トレイ２０２の上面形状に伴って、装置本体２０１の収納部２０１ａの天面が、加湿フィルタ１６の上面に対応する位置で凸形状となり、他の部分は貯水トレイ２０２の上面に接触するように形成されている。これにより、図６の（ｂ）に示すように、貯水トレイ２０２が装置本体２０１の収納部２０１ａに収納された状態では、当該貯水トレイ２０２の上面および加湿フィルタ１６の上面が収納部２０１ａの天面に接触した状態となる。従って、加湿フィルタ１６の上面と収納部２０１ａの天面との間に生じる隙間がほとんど無い状態となっている。このため、貯水トレイ２０２に吹き込んだ風は、必ず加湿フィルタ１６に当たり、加湿された空気となり加湿機１０１の外に排出される。つまり、加湿量を適切に制御することができる。さらに、加湿フィルタが貯水トレイの水面から突出している部分が多くなるため、加湿量の多い空気を排出することが可能となる。
【００５８】
上記構成の貯水トレイ２０２を装置本体２０１から引き出す場合、および上記貯水トレイ２０２を装置本体２０１に格納する場合、前記の貯水トレイ２の場合と同様に、当該貯水トレイ２０２は収納部２０１ａの天面への接触による摩擦がほとんどない。従って、貯水トレイ２を装置本体１０からの引き出しおよび格納を容易にできる。
【００５９】
なお、加湿量を適切に制御するという点のみに着目すると、貯水トレイ２０２の引き出し方向前方、後方の高さを変える必要はなく、貯水トレイ２０２を収納部２０１ａに格納した状態で、加湿フィルタ１６の上面と収納部２０１ａの天面との間に生じる隙間をほとんど無くすようにすればよい。この例について以下の図７を参照しながら説明する。
【００６０】
＜変形例２＞
図７は、図５に示す装置本体１０と貯水トレイ２との関係の変形例を説明するための図であり、（ａ）は貯水トレイ３０２の引き出し方向正面図であり、（ｂ）は（ａ）のＥＥ線矢視断面図である。
【００６１】
図７に示す貯水トレイ３０２は、前記貯水トレイ２０２と同様、図７の（ａ）に示すように、加湿フィルタ１６の一部が当該貯水トレイ３０２の上面から突出するように形成されている。つまり、貯水トレイ３０２を構成している４辺の板の高さが全て、加湿フィルタ１６よりも低くなるように形成されている。
【００６２】
上記構成の貯水トレイ３０２の上面形状に伴って、装置本体３０１の収納部３０１ａの天面が、加湿フィルタ１６の上面に対応する位置で凸形状となり、他の部分は貯水トレイ３０２の上面に接触するように形成されている。これにより、図７の（ｂ）に示すように、貯水トレイ３０２が装置本体３０１の収納部３０１ａに収納された状態では、当該貯水トレイ３０２の上面および加湿フィルタ１６の上面が収納部３０１ａの天面に接触した状態となる。従って、加湿フィルタ１６の上面と収納部３０１ａの天面との間に生じる隙間がほとんど無い状態となっている。このため、貯水トレイ３０２に吹き込んだ風は、必ず加湿フィルタ１６に当たり、加湿された空気となり加湿機１０１の外に排出される。つまり、加湿量を適切に制御することができる。
【００６３】
上記構成の貯水トレイ３０２を用いることで、図５に示す貯水トレイ２と同様に、当該貯水トレイ３０２を装置本体１０に格納した状態で加湿機１０１を移動させる場合に、貯水トレイ３０２に蓄えられた水がこぼれ難くすることができる。
【００６４】
なお、貯水トレイ３０２に蓄えられた水をこぼれ難くするためであれば、図８に示す変形例３であってもよい。
【００６５】
＜変形例３＞
図８は、図１に示す加湿機１０１の貯水トレイ２の水面３にフタ４１をした状態を示す図である。
【００６６】
図８に示すように、貯水トレイ２の水面３に、当該水面３の形状に合わせた形状のフタ４１が載置されている。このフタ４１は、水よりも比重の軽く、撥水性を有しているものであればどのような材質であってもよい。例えば発泡性材料、多孔質材料、プラスチック等が好ましく、また、撥水性を有さない材料を撥水処理したものであってもよい。
【００６７】
貯水トレイ２の水面３にフタ４１を載置することで、当該貯水トレイ２を運ぶ際の揺れに起因して水がこぼれるのを防止することができる。特に、貯水トレイ２を格納した状態で加湿機１０１を持ち運んだときにフタ４１を載置するのが好ましい。
【００６８】
〔実施形態２〕          
本発明の他の実施形態について、以下に説明する。なお、説明の便宜上、上記実施形態にて説明した部材と同じ機能を有する部材については、同じ符号を付記し、その説明を繰り返さない。
【００６９】
（加湿機の概要）
図９は、本実施形態に係る加湿機１０１の概略構成を示す概略断面斜視図である。本実施形態に係る加湿機１０１は、前記実施形態１の加湿機１０１とは、貯水トレイ２の第１の領域２１に抗菌材５１が設置されている点で異なり、その他構成は同じである。
【００７０】
抗菌材５１は、貯水トレイ２内の水を抗菌する抗菌剤である。抗菌材５１は、水の中で抗菌成分を拡散させて、水の抗菌を行なっている。また、貯水トレイ２の第１の領域２１は、給水側であるため、水が供給され、水が波立つ。従って、抗菌材５１は、貯水トレイ２の第１の領域２１側に載置するのが好ましい。これにより、効果的に抗菌成分を拡散させることができる。ここで、抗菌材５１は、貯水トレイ２内において、給水時の水の落下の影響を受ける位置、すなわち水が供給され、水が落下して波の立つ第１の領域２１の任意の位置に配置されていればよい。
【００７１】
抗菌材５１としては、例えば銀・銅・亜鉛などの金属イオンを溶出する無機化合物、銀・銅・亜鉛の金属微粒子、銀ゼオライト、銀含有リン酸ジルコニウム、ヨウ素化合物類、フェノール類、第４級アンモニウム塩類、イミダゾール化合物類、安息香酸類、過酸化水素、クレゾール、クロルヘキシジン、イルガサン、アルデヒド類、ソルビン酸等の薬剤やリゾチーム・セルラーゼ・プロテアーゼなどの酵素製剤、カテキン類、竹抽出物、ヒノキ抽出物、わさび抽出物、からし抽出物などの天然成分抽出物などが好ましい。また、抗菌材５１として防カビ剤を用いてもよく、防カビ剤としては、有機窒素化合物、硫黄系化合物、有機酸エステル類、有機ヨウ素系イミダゾール化合物、ベンザゾール化合物などが好ましい。
【００７２】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００７３】
（加湿機の概要）
図１０は、本実施形態に係る加湿機１０２の概略構成断面図である。図１１は、図１０に示す加湿機１０２の概略構成斜視図である。
【００７４】
本実施形態に係る加湿機１０２は、前記実施形態１の加湿機１０１とほとんど同じ構成であるが、給水路の第２給水路１５の代わりに、第３給水路６１および第４給水路６２を用いている点で異なる。
【００７５】
加湿機１０２は、図１０に示すように、第１給水路１４と、第３給水路６１と、第４給水路６２とで貯水トレイ２に給水するための給水路を構成している。
【００７６】
第３給水路６１は、前記実施形態１の第２給水路１５とは異なり、貯水トレイ２の上面にほぼ並行に水を導くように形成されている。第３給水路６１によって導かれた水は、第４給水路６２に送られる。
【００７７】
第４給水路６２は、貯水トレイ２内に設置された加湿フィルタ１６の上面に対向するように形成され、当該加湿フィルタ１６の上面に向かって水を落下させる構造（図１０の矢印方向に水を落下させる構造）となっている。
【００７８】
（給水路）
図１２は、第４給水路６２の水の落下構造を説明するための図であり、（ａ）は、加湿フィルタ１６を取り外した状態を示し、（ｂ）は加湿フィルタ１６の一部を仮想的に配置した状態を示している。
【００７９】
第４給水路６２の背面には、複数の孔６２ａが形成されており、これらの孔６２ａから当該第４給水路６２に導かれた水を落下させるようになっている。第４給水路６２の孔６２ａからの水は、当該第４給水路６２に対向した加湿フィルタ１６の上面に落ちることになる。つまり、給水路によって貯水トレイ２に供給される水は、一旦、加湿フィルタ１６に上面に落ちて、当該貯水トレイ２内に溜ることになる。このとき、加湿フィルタ１６は、落下する水により表面に付着したカルキ成分などの付着物が洗い流されることになる。
【００８０】
〔まとめ〕
本発明の態様１に係る加湿機は、貯水トレイ２と、上記貯水トレイ２を収納部１０ａに収納した状態で、当該貯水トレイ２の水を用いて空気を加湿する加湿部（加湿フィルタ１６，送風路１７，送風ファン１８）と、を備えた加湿機であって、上記貯水トレイ２は、上記貯水トレイ２の上面が上記収納部１０ａの天面に近接した状態で当該収納部１０ａに引き出し可能に収納され、上記貯水トレイ２の引き出し方向前方（板２ａ）の高さが、上記貯水トレイ２の引き出し方向後方（板２ｂ）の高さよりも高く、且つ、上記貯水トレイ２の上面が、上記貯水トレイ２の引き出し方向前方から引き出し方向後方へ傾斜して形成されていることを特徴としている。
【００８１】
上記構成によれば、貯水トレイを収納部に入れるときは、高さの低い側から収納部に挿入されるため、貯水トレイの上面が収納部の天面に擦れることを極力抑えながら、貯水トレイを収納部に収納することができる。
【００８２】
一方、貯水トレイを上記収納部から引き出すときは、高さの高い側から収納部から引き出されるため、貯水トレイの上面が収納部の天面に擦れることを極力抑えながら、貯水トレイを収納部から引き出すことができる。
【００８３】
これにより、加湿機本体から貯水トレイの出し入れする際の摩擦がほとんどなく、容易に貯水トレイの出し入れをすることが可能となる。
【００８４】
また、貯水トレイが収納部に完全に収納されれば、当該貯水トレイに搭載した加湿フィルタの上面が収納部の天面に接触した状態にすることが可能となるため、加湿フィルタに吹き付けられた空気は、確実に加湿フィルタを通過することになり、加湿されずに排出される空気を低減することができる。つまり、加湿量を適切に制御することが可能となる。
【００８５】
従って、加湿機本体からの貯水トレイの出し入れを容易にすることと、加湿量を適切に制御することを実現できる加湿機を提供することができる。
【００８６】
本発明の態様２に係る加湿機は、上記態様１において、上記加湿部（加湿フィルタ１６，送風路１７，送風ファン１８）は、上記貯水トレイ２に、一部が水に浸漬されるように配置される加湿フィルタ１６と、上記加湿フィルタ１６に風を吹き付けることで、当該加湿フィルタ１６に含まれた水を気化させる送風部（送風路１７，送風ファン１８）と、を備え、上記貯水トレイ２は、上記加湿フィルタ１６の上面が上記収納部１０ａの天面に近接した状態で、当該収納部１０ａに引き出し可能に収納され、上記加湿フィルタ１６の上面が、上記貯水トレイ２の引き出し方向前方から引き出し方向後方への傾斜と同じ向きに傾斜されていてもよい。
【００８７】
上記構成によれば、加湿フィルタが載置された貯水トレイを収納部に入れるときは、高さの低い側から収納部に挿入されるため、貯水トレイおよび加湿フィルタの上面が収納部の天面に擦れることを極力抑えながら、貯水トレイを収納部に収納することができる。
【００８８】
一方、貯水トレイを上記収納部から引き出すときは、高さの高い側から収納部から引き出されるため、貯水トレイおよび加湿フィルタの上面が収納部の天面に擦れることを極力抑えながら、貯水トレイを収納部から引き出すことができる。
【００８９】
これにより、加湿機本体から貯水トレイの出し入れする際の摩擦がほとんどなく、容易に貯水トレイの出し入れをすることが可能となる。
【００９０】
また、加湿フィルタを設置した貯水トレイが収納部に完全に収納されれば、加湿フィルタの上面が収納部の天面に接触した状態となるため、加湿フィルタに吹き付けられた空気は、確実に加湿フィルタを通過することになり、加湿されずに排出される空気を低減することができる。つまり、加湿量を適切に制御することが可能となる。
【００９１】
従って、加湿機本体からの貯水トレイの出し入れを容易にすることと、加湿量を適切に制御することを実現できる加湿機を提供することができる。
【００９２】
本発明の態様３に係る加湿機は、上記態様２において、上記加湿フィルタ１６が上記貯水トレイ２０２に載置された状態で、当該加湿フィルタ１６の一部が当該貯水トレイ２０２の上面から突出していてもよい。
【００９３】
上記の構成によれば、加湿フィルタが貯水トレイの水面から突出している部分が多くなるため、加湿量の多い空気を排出することが可能となる。
【００９４】
本発明の態様４に係る加湿機は、上記態様１〜３の何れか１態様において、上記貯水トレイ２に外部から水を供給する給水口１２と、上記加湿部（加湿フィルタ１６，送風路１７，送風ファン１８）によって加湿された空気を外部に放出する吹出口（排気口１１）と、を備え、上記給水口１２から上記貯水トレイ２まで水を導く給水路（溝１３，第１給水路１４，第２給水路１５）が、加湿機本体（装置本体１０）の一側面に設けられ、上記貯水トレイ２から上記吹出口（排気口１１）まで加湿された空気を導く吹出路２０が、加湿機本体（装置本体１０）の他側面に設けられていてもよい。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１  裏蓋（給水路）
２  貯水トレイ
２ａ  板（引き出し方向前方）
２ｂ  板（引き出し方向後方）
３  水面
１０  装置本体（加湿機本体）
１０ａ  収納部
１１  排気口（吹出口）
１２  給水口
１３  溝（給水路）
１４  第１給水路（給水路）
１５  第２給水路（給水路）
１５ａ  第１開口部
１５ｂ  第２開口部
１６  加湿フィルタ（加湿部）
１７  送風路（加湿部、送風部）
１８  送風ファン（加湿部、送風部）
１９  モータ
２０  吹出路
２１  第１の領域
２２  第２の領域
３０  制御部
３１  水位センサ
３２  温度センサ
３３  湿度センサ
４１  フタ
５１  抗菌材
６１  第３給水路
６２  第４給水路
１０１  加湿機
１０２  加湿機
２０１  装置本体
２０１ａ  収納部
２０２  貯水トレイ
３０１  装置本体
３０１ａ  収納部
３０２  貯水トレイ
【図１】
2019143832.tif 000003
【図２】
2019143832.tif 000004
【図３】
2019143832.tif 000005
【図４】
2019143832.tif 000006
【図５】
2019143832.tif 000007
【図６】
2019143832.tif 000008
【図７】
2019143832.tif 000009
【図８】
2019143832.tif 000010
【図９】
2019143832.tif 000011
【図１０】
2019143832.tif 000012
【図１１】
2019143832.tif 000013
【図１２】
2019143832.tif 000014